(57)【要約】【課題】導火に伴って間欠的に音を発生させることで興趣を増大させた玩具煙火を提供する。【解決手段】筒状本体（外筒）２と、筒状本体２の内部に配置された火薬充填部（内筒）３とを有し、火薬充填部３の外側面３ａには、点火部を形成する第１導火部材４ａと、複数の音小星火薬が含有された第２導火部材４ｂと、打ち揚げ用火薬３ｂに着火するための着火部を形成する第３導火部材４ｃとが取り付けられている。このため、本考案の玩具煙火は、導火部材内の複数の音小星火薬によって導火に伴なう間欠的発音現象が生起し、より興趣に富んだ玩具煙火となる。【選択図】図１
0003130150.tif 000002
【実用新案登録請求の範囲】
【請求項１】
筒状本体と、該筒状本体内に導入された導火部材とを有し、該導火部材内には複数の音小星火薬が含有されていることを特徴とする玩具煙火。
【請求項２】
前記筒状本体内には火薬充填部が配置され、該火薬充填部の外側面に沿って前記導火部材が取り付けられている請求項１に記載の玩具煙火。
【請求項３】
前記玩具煙火は打揚げ煙火であり、打揚げ花火現象に加え、前記導火部材内の音小星火薬の燃焼による間欠的な発音現象が生起されるように構成されている請求項２に記載の玩具煙火。
【請求項４】
前記玩具煙火は、打揚げ花火現象の前、または／および打揚げ花火現象の後に、前記導火部材内の音小星火薬の燃焼による間欠的な発音現象が生起されるように構成されている請求項３に記載の玩具煙火。
【請求項５】
前記玩具煙火は噴出煙火であり、噴出花火現象に加え、前記導火部材内の音小星火薬の燃焼による間欠的な発音現象が生起されるように構成されている請求項２に記載の玩具煙火。
【請求項６】
前記玩具煙火は、噴出花火現象の前、または／および噴出花火現象の後に、前記導火部材内の音小星火薬の燃焼による間欠的な発音現象が生起されるように構成されている請求項５に記載の玩具煙火。
【請求項７】
前記玩具煙火は手持ち吹き出し煙火であり、吹き出し花火現象に加え、前記導火部材内の音小星火薬の燃焼による間欠的な発音現象が生起されるように構成されている請求項２に記載の玩具煙火。
【請求項８】
前記玩具煙火は、吹き出し花火現象の前、または／および吹き出し花火現象の後に、前記導火部材内の音小星火薬の燃焼による間欠的な発音現象が生起されるように構成されている請求項７に記載の玩具煙火。
【請求項９】
前記玩具煙火の前記筒状本体は、複数の貫通孔を有し、前記導火部材の燃焼により生起する火花を外部より目視可能に構成されていると共に、導火部材内の音小星火薬の燃焼による間欠的な発音現象が生起されるように構成されている請求項２に記載の玩具煙火。
【考案の詳細な説明】
【技術分野】
【０００１】
本考案は、花火遊戯に供して好適な玩具煙火に関する。
【背景技術】
【０００２】
従来の玩具煙火、例えば、打ち揚げ現象を生起させる打ち揚げ煙火、噴出現象を生起させる噴出煙火などは、筒状本体の外部に導出された導火線等の導火部材に点火すると、火種が内部に侵入して数秒後に各種花火現象が生起するように構成されている。
本願考案者は、この導火部材に着目し、導火の途中で間欠的に発光する火花を外部から目視可能とする新規な玩具煙火を先に提案した。
【特許文献１】特開２００５−３０６５８号公報
【考案の開示】
【考案が解決しようとする課題】
【０００３】
本考案は、同様に導火部材に着目した玩具煙火の他の態様であり、すなわち、本発明の課題は、導火に伴って間欠的に音を発生させることで興趣を増大させた玩具煙火を提供することにある。
【課題を解決するための手段】
【０００４】
上記課題を解決するものは、筒状本体と、該筒状本体内に導入された導火部材とを有し、該導火部材内には複数の音小星火薬が含有されていることを主要な特徴とする玩具煙火である。そして、前記筒状本体内には火薬充填部が配置され、該火薬充填部の外側面に沿って前記導火部材が取り付けられていることが好ましい。
【０００５】
また、前記玩具煙火は打揚げ煙火であり、打揚げ花火現象に加え、前記導火部材内の音小星火薬の燃焼による間欠的な発音現象が生起されるように構成されており、前記玩具煙火は、打揚げ花火現象の前、または／および打揚げ花火現象の後に、前記導火部材内の音小星火薬の燃焼による間欠的な発音現象が生起されるように構成されていることが好ましい。
【０００６】
さらに、前記玩具煙火は噴出煙火であり、噴出花火現象に加え、前記導火部材内の音小星火薬の燃焼による間欠的な発音現象が生起されるように構成されており、前記玩具煙火は、噴出花火現象の前、または／および噴出花火現象の後に、前記導火部材内の音小星火薬の燃焼による間欠的な発音現象が生起されるように構成されていてもよい。
【０００７】
さらに、前記玩具煙火は手持ち吹き出し煙火であり、吹き出し花火現象に加え、前記導火部材内の音小星火薬の燃焼による間欠的な発音現象が生起されるように構成されており、前記玩具煙火は、吹き出し花火現象の前、または／および吹き出し花火現象の後に、前記導火部材内の音小星火薬の燃焼による間欠的な発音現象が生起させるように構成されていてもよい。
【０００８】
さらに、前記玩具煙火の前記筒状本体は、複数の貫通孔を有し、前記導火部材の燃焼により生起する火花を外部より目視可能に構成されていると共に、導火部材内の音小星火薬の燃焼による間欠的な発音現象が生起されるように構成されているものであってもよい。
【考案の効果】
【０００９】
本考案の玩具煙火は、導火部材内には複数の音小星火薬が含有されているため、導火に伴って間欠的に音が発生し興趣に富んだ玩具煙火となる。
【考案を実施するための最良の形態】
【００１０】
導火部材内に複数の音小星火薬を含有したことにより、火花現象に発音現象が加わり、より興趣に富んだ玩具煙火を実現した。
【実施例１】
【００１１】
図１は本考案の玩具煙火の一実施例の斜視図である。
この実施例の玩具煙火１は打ち揚げ煙火であり、筒状本体（外筒）２と、筒状本体２の内部に配置された火薬充填部（内筒）３とを有し、火薬充填部３の外側面３ａには、点火部を形成する第１導火部材４ａと、複数の音小星火薬が含有された第２導火部材４ｂと、打ち揚げ用火薬３ｂに着火するための着火部を形成する第３導火部材４ｃとが取り付けられている。以下、各構成について順次説明する。
【００１２】
筒状本体２は、玩具煙火１の外筒を構成する部位であり、台座５に被嵌され立設保持されていると共に、上部には蓋体６が被嵌可能に構成されている。なお、図１では、筒状本体２は透明のように描かれているが、実物は不透明な厚紙にて形成されている。また、この実施例の筒状本体２は円筒形に形成されているが、筒状体であればどのような形態でもよく、例えば、多角筒状体などであってもよい。
【００１３】
火薬充填部３は、筒状本体２内を区画し、その内部に打ち揚げ用火薬３ｂを充填するための部位であり、この実施例では円筒形の内筒にて構成されている。ただし、火薬充填部３はこの形態に限定されるものではなく、筒状本体２と離間した位置に外側面を有し、内部に打ち揚げ用火薬３ｂを充填可能なものであれば、どのような形態のものでもよい。また、この実施例の火薬充填部３は、筒状本体２の内部中央付近に、筒状本体２の下部付近から上部に至るまで、筒状本体２の軸方向（長手方向）に沿って立設配置されており、火薬充填部３内の下部に打ち揚げ用火薬３ｂが充填されている。
【００１４】
導火部材４は、点火部を形成する第１導火部材４ａと、複数の音小星火薬が含有された第２導火部材４ｂと、打ち揚げ用火薬３ｂに着火するための着火部を形成する第３導火部材４ｃとからなっている。第１導火部材４ａと第３導火部材４ｃは音小星火薬が含有されていない導火線であり、第２導火部材４ｂには導火線用の一般的な火薬に加え音小星火薬が混入されている。そして、この第２導火部材４ｂは火薬充填部３の長手方向に沿ってその外側面に延在して取り付けられている。また、第１導火部材４ａと第２導火部材４ｂはそれぞれの端部を接触させた状態で粘着テープ（図示しない）を介して火薬充填部３の上部外側面に接着されており、第２導火部材４ｂと第３導火部材４ｃはそれぞれの端部を接触させた状態で粘着テープ（図示しない）を介して火薬充填部３の下部外側面に接着されている。
【００１５】
この実施例の玩具煙火１において、第１導火部材４ａに点火すると、第１導火部材４ａが燃焼していき、第２導火部材４ｂに着火する。この第２導火部材４ｂには、複数の音小星火薬が含有されているため、燃焼の進行に伴ない音小星火薬による間欠的な発音現象が生起される。さらに、燃焼が進行すると、第３導火部材４ｃが着火し火薬充填部３内の打ち揚げ用火薬３ｂが着火して打揚げ花火現象が生起される。このように、玩具煙火１では、打揚げ花火現象の前に、音小星火薬による間欠的な発音現象が生起されるため、打揚げ花火現象に加え、間欠的な発音現象を生起されて、より興趣に富んだ打ち揚げ玩具煙火となる。
【００１６】
なお、この実施例の玩具煙火１は、打ち揚げ花火現象の前に、間欠的な発音現象が生起されるように構成されているが、打揚げ花火現象の後に間欠的な発音現象が生起されるように構成されたもの、打揚げ花火現象の前後に間欠的な発音現象が生起されるように構成されたもの、或いは打揚げ花火現象の前後に渡って間欠的な発音現象が生起されるように構成されたものも、広く本考案の範疇に包含される。これらの構成は導火部材の配置を適宜変更することにより実現できる。
【００１７】
つぎに、図２に示した玩具煙火１０について説明する。
この実施例の玩具煙火１０は噴出煙火であり、筒状本体（外装部）１２と、筒状本体１２の内部に配置された火薬充填部（内筒）１３とを有し、火薬充填部１３の外側面１３ａには、点火部を形成すると共に火花噴出用火薬１３ｂを着火するための第１導火部材１４ａと、複数の音小星火薬が含有された第２導火部材１４ｂと、第１導火部材１４ａと第２導火部材１４ｂとを中継するための第３導火部材１４ｃとが取り付けられている。以下、各構成について順次説明する。
【００１８】
筒状本体１２は、玩具煙火１の外装部を構成する部位であり、有底四角筒状体に形成され、上部には蓋体が一体的に形成されている。なお、図２では、筒状本体１２は透明のように描かれているが、実物は不透明な紙材にて形成されている。また、この実施例の筒状本体１２は有底四角筒状体に形成されているが、火薬充填部（内筒）１３を収納可能であればどのような形態でもよい。
【００１９】
火薬充填部１３は、筒状本体１２内を区画し、その内部に火花噴出用火薬１３ｂを充填するための部位であり、この実施例では円筒形の内筒にて構成されている。ただし、火薬充填部１３はこの形態に限定されるものではなく、筒状本体１２と離間した位置に外側面を有し、内部に火花噴出用火薬１３ｂを充填可能なものであれば、どのような形態のものでもよい。また、この実施例の火薬充填部１３は、筒状本体１２の内部中央付近に、筒状本体１２の下部付近から上部に至るまで、筒状本体１２の軸方向（長手方向）に沿って立設配置されており、火薬充填部１３内の上部に火花噴出用火薬１３ｂが充填されている。
【００２０】
導火部材１４は、点火部を形成すると共に火花噴出用火薬１３ｂを着火するための第１導火部材１４ａと、複数の音小星火薬が含有された第２導火部材１４ｂと、第１導火部材１４ａと第２導火部材１４ｂとを中継するための第３導火部材１４ｃとからなっている。第１導火部材１４ａと第３導火部材１４ｃは音小星火薬が含有されていない導火線であり、第２導火部材１４ｂには導火線用の一般的な火薬に加え音小星火薬が混入されている。第２導火部材１４ｂは火薬充填部１３の長手方向に沿ってその外側面に延在して取り付けられている。また、第１導火部材１４ａと第２導火部材１４ｂとの連結、または、第２導火部材１４ｂと第３導火部材１４ｃとの連結および火薬充填部３外側面への接着は粘着テープ（図示しない）によりなされている。
【００２１】
そして、この実施例の玩具煙火１０において、第１導火部材１４ａに点火すると、第１導火部材１４ａが燃焼していき、第３導火部材１４ｃに着火すると共に、火薬充填部１３内の火花噴出用火薬１３ｂに着火して噴出花火現象が生起される。他方、噴出花火現象が生起されている間、第３導火部材１４ｃの燃焼が進行し、噴出花火現象が終了した頃に、第２導火部材１４ｂが着火する。この第２導火部材１４ｂには、複数の音小星火薬が含有されているため、燃焼の進行に伴ない音小星火薬による間欠的な発音現象が生起される。このように、玩具煙火１０では、噴出花火現象の後に、音小星火薬による間欠的な発音現象が生起されるため、噴出花火現象に加え、間欠的な発音現象が生起されてより興趣に富んだ噴出玩具煙火となる。
【００２２】
なお、この実施例の玩具煙火１０は、噴出花火現象の後に、間欠的な発音現象が生起されるように構成されているが、噴出花火現象の前に間欠的な発音現象が生起されるように構成されたもの、噴出花火現象の前後に間欠的な発音現象が生起されるように構成されたもの、或いは噴出花火現象の前後に渡って間欠的な発音現象が生起されるように構成されたものも、広く本考案の範疇に包含される。これらの構成は導火部材の配置を適宜変更することにより実現できる。
【００２３】
さらに、図３に示した玩具煙火２０について説明する。
この実施例の玩具煙火２０は手持ち吹き出し煙火であり、筒状本体（外装部）１２と、筒状本体１２の内部に配置された火薬充填部（内筒）１３と、筒状本体（外装部）１２の下方に延在して設けられた把手部２１とを有し、火薬充填部３の外側面１３ａには、点火部を形成すると共に火花噴出用火薬１３ｂを着火するための第１導火部材１４ａと、複数の音小星火薬が含有された第２導火部材１４ｂと、第１導火部材１４ａと第２導火部材１４ｂとを中継するための第３導火部材４ｃとが取り付けられている。
【００２４】
この実施例の玩具煙火２０と前述した玩具煙火１０との基本的な相違は、玩具煙火１０が噴出煙火であるのに対して、玩具煙火２０は手持ち吹き出し煙火である点と、玩具煙火２０が手持ち吹き出し煙火であるために、玩具煙火１０の基本構造に加えて、筒状本体（外装部）１２の下方に延在して設けられた把手部２１を有している点である。玩具煙火１０と同一構成部分については同一符号を付し説明を省略する。
【００２５】
そして、この実施例の玩具煙火２０においては、把手部２１を把手した状態で、第１導火部材１４ａに点火すると、第１導火部材１４ａが燃焼していき、第３導火部材１４ｃに着火すると共に、火薬充填部１３内の火花噴出用火薬１３ｂに着火して吹き出し花火現象が生起される。他方、吹き出し花火現象が生起されている間、第３導火部材１４ｃの燃焼が進行し、吹き出し花火現象が終了した頃に、第２導火部材１４ｂが着火する。この第２導火部材１４ｂには、複数の音小星火薬が含有されているため、燃焼の進行に伴ない音小星火薬による間欠的な発音現象が生起される。このように、玩具煙火１０では、吹き出し花火現象の後に、音小星火薬による間欠的な発音現象が生起されるため、吹き出し花火現象に加え、間欠的な発音現象が生起させてより興趣に富んだ手持ち吹き出し煙火となる。
【００２６】
なお、この実施例の玩具煙火２０は、吹き出し花火現象の後に、間欠的な発音現象が生起されるように構成されているが、吹き出し花火現象の前に間欠的な発音現象が生起されるように構成されたもの、吹き出し花火現象の前後に間欠的な発音現象が生起されるように構成されたもの、或いは吹き出し花火現象の前後に渡って間欠的な発音現象が生起されるように構成されたものも、広く本考案の範疇に包含される。これらの構成は導火部材の配置を適宜変更することにより実現できる。
【００２７】
さらに、図４に示した玩具煙火３０は、複数の貫通孔３１を備えた筒状本体（外筒）３２と、筒状本体３２の内部に配置された内筒３３とを有し、内筒３３の外側面３３ａには、複数の音小星火薬を含有した導火部材３４が螺旋状に配されている。その他、玩具煙火１と同様の構成については同一符号を付し説明を省略する。
【００２８】
そして、この玩具煙火３０では、導火部材３４の上端に点火すると、燃焼が進行する過程で火花が発生し、その火花を貫通孔３１を介して外部より目視可能に構成されていると共に、複数の音小星火薬による間欠的な発音現象が生起するように構成されている。このように、本考案には、火薬充填部を有さず、導火部材による花火現象のみからなるものも、本考案の範疇に包含される。
【図面の簡単な説明】
【００２９】
【図１】本考案の玩具煙火の一実施例の斜視図である。  （実施例１）
【図２】本考案の玩具煙火の他の実施例の斜視図である。（実施例２）
【図３】本考案の玩具煙火の他の実施例の斜視図である。（実施例３）
【図４】本考案の玩具煙火の他の実施例の斜視図である。（実施例４）
【符号の説明】
【００３０】
１    玩具煙火
２    筒状本体
３    火薬充填部
４    導火部材
５    台座
６    蓋体
【図１】
0003130150.tif 000003
【図２】
0003130150.tif 000004
【図３】
0003130150.tif 000005
【図４】
0003130150.tif 000006